(57)【要約】【課題】レンジにより加熱した際に、内部空間で発生した圧を逃がし得る容器及びその使用方法を提供する。【解決手段】深皿状の容器本体２と、容器本体２に内容物を入れて容器本体２の上部に着脱可能に被せる浅皿状の皿部３と、皿部３に他の内容物を入れて皿部３の上部に着脱可能に被せる蓋部４と、容器本体２と蓋部４を包み得るラップ３２とを備え、レンジにより夫々の内容物を加熱し得る容器１であって、  皿部３の周囲には、容器本体２と皿部３の間の内部空間３６で生じた圧を逃がし得るよう開放口３５を備えると共に、蓋部４の上面２１には、皿部３と蓋部４の間の内部空間３７で生じた圧を逃がし得るよう圧で上方に開く扉部２８を備え、  扉部２８の周囲２９は、扉部２８がラップ３２に係合しないよう蓋部４の上面２１より低く形成される。【選択図】図４
2005162289.tif 000002
【特許請求の範囲】
【請求項１】
深皿状の容器本体と、該容器本体に内容物を入れて容器本体の上部に着脱可能に被せる浅皿状の皿部と、該皿部に他の内容物を入れて皿部の上部に着脱可能に被せる蓋部と、前記容器本体と蓋部の間に皿部を配置した状態で容器本体と蓋部を包み得るラップとを備え、前記容器本体と蓋部をラップで包んだ状態でレンジにより夫々の内容物を加熱し得る容器であって、
前記皿部の周囲には、容器本体と皿部の間の内部空間で生じた圧を逃がし得るよう開放口を備えると共に、蓋部の上面には、皿部と蓋部の間の内部空間で生じた圧を逃がし得るよう圧で上方に開く扉部を備え、
前記扉部の周囲は、扉部がラップに係合しないよう蓋部の上面より低く形成されたことを特徴とする容器。
【請求項２】
蓋部の上面は、蓋部の周縁よりも低く形成された請求項１記載の容器。
【請求項３】
開放口は、周方向に一定の間隔で四つ以上形成された請求項１又は２記載の容器。
【請求項４】
皿部の位置を周方向で決定するよう、開放口を形成する皿部の凸部を、位置決め用の目印にした請求項１〜３のいずれかに記載の容器。
【請求項５】
皿部の底面を、内容物を流し得る平滑面にした請求項１〜４のいずれかに記載の容器。
【請求項６】
深皿状の容器本体と、該容器本体に内容物を入れて容器本体の上部に着脱可能に被せる浅皿状の皿部と、該皿部に他の内容物を入れて皿部の上部に着脱可能に被せる蓋部とを備え、前記容器本体と蓋部の間に皿部を配置した状態でレンジにより夫々の内容物を加熱し得る容器の使用方法であって、
前記皿部に前記他の内容部を入れて準備をする際には、予め皿部の底面に、内容物を流し得る潤滑油を塗布し、
前記レンジにより夫々の内容物を加熱した際には、皿部の周囲に形成された開放口から、容器本体と皿部の間の内部空間で生じた圧を逃がすと共に、前記蓋部の上面に形成され且つ圧で上方に開く扉部から、皿部と蓋部の間の内部空間で生じた圧を逃がすことを特徴とする容器の使用方法。
【発明の詳細な説明】
【技術分野】
【０００１】
本発明は、食品等の内容物をレンジで加熱する容器及びその使用方法に関するものである。
【背景技術】
【０００２】
近年、コンビニエンスストア等で販売される弁当の中には種々の麺類があり、例えば、冷めんの場合には、麺と具材と液状調味料とを分けて容器に収納されている。
【０００３】
図５に示す如く、このような容器Ａは、深皿状の容器本体Ｂと、深皿状の容器本体Ｂに被せると共に内部を複数（図５では３つ）に区分けされた浅皿状の皿部Ｃと、皿部Ｃに被せる蓋部Ｄとを備えて構成されており、冷めんの場合は、容器本体Ｂに、麺と、袋入りの液状調味料を入れ、皿部Ｃに種々の具材を入れており、更に皿部Ｃに蓋部Ｄを被せてラップにより全体を包んでいる。
【０００４】
容器Ａに入れた冷めんを食する場合には、ラップを破って容器本体Ｂ等を取り出し、蓋部Ｄ、皿部Ｃ、容器本体Ｂを夫々外して袋入りの液状調味料を取り出し、具材を皿部Ｃから容器本体Ｂ中の麺に載せると共に麺に液状調味料を袋より注ぎ、冷めんを食することが可能となる。
【０００５】
尚、この種の容器及びその使用方法に関連する先行技術文献の情報としては次のものがある。
【特許文献１】実開平６−６９１５６号公報
【特許文献２】特開平９−５１７６７号公報
【発明の開示】
【発明が解決しようとする課題】
【０００６】
しかしながら、近年、スパゲッティ等の食品は、スパゲッティの生麺とソースを分けて容器Ａに入れた状態でレンジにより温めることが求められており、スパゲッティ等の食品を上記従来例の容器Ａに入れて温めた際には、容器Ａの内部空間で発生した蒸気等の圧が容器Ａの外へ容易に逃げず、容器Ａの変形や破損を生じさせるという問題があった。更にソース等の粘性の高い内容物を入れた際には、ソースが容器Ａの底に付着するため、好適に移し替えることができないという問題があった。
【０００７】
本発明は上述の実情に鑑みてなしたもので、レンジにより加熱した際に、内部空間で発生した圧を逃がし得る容器及びその使用方法を提供することを目的としている。
【課題を解決するための手段】
【０００８】
本発明の請求項１は、深皿状の容器本体と、該容器本体に内容物を入れて容器本体の上部に着脱可能に被せる浅皿状の皿部と、該皿部に他の内容物を入れて皿部の上部に着脱可能に被せる蓋部と、前記容器本体と蓋部の間に皿部を配置した状態で容器本体と蓋部を包み得るラップとを備え、前記容器本体と蓋部をラップで包んだ状態でレンジにより夫々の内容物を加熱し得る容器であって、
前記皿部の周囲には、容器本体と皿部の間の内部空間で生じた圧を逃がし得るよう開放口を備えると共に、蓋部の上面には、皿部と蓋部の間の内部空間で生じた圧を逃がし得るよう圧で上方に開く扉部を備え、
前記扉部の周囲は、扉部がラップに係合しないよう蓋部の上面より低く形成されたことを特徴とする容器、に係るものである。
【０００９】
本発明の請求項２は、蓋部の上面は、蓋部の周縁よりも低く形成された請求項１記載の容器、に係るものである。
【００１０】
本発明の請求項３は、開放口は、周方向に一定の間隔で四つ以上形成された請求項１又は２記載の容器、に係るものである。
【００１１】
本発明の請求項４は、皿部の位置を周方向で決定するよう、開放口を形成する皿部の凸部を、位置決め用の目印にした請求項１〜３のいずれかに記載の容器、に係るものである。
【００１２】
本発明の請求項５は、皿部の底面を、内容物を流し得る平滑面にした請求項１〜４のいずれかに記載の容器、に係るものである。
【００１３】
本発明の請求項６は、深皿状の容器本体と、該容器本体に内容物を入れて容器本体の上部に着脱可能に被せる浅皿状の皿部と、該皿部に他の内容物を入れて皿部の上部に着脱可能に被せる蓋部とを備え、前記容器本体と蓋部の間に皿部を配置した状態でレンジにより夫々の内容物を加熱し得る容器の使用方法であって、
前記皿部に前記他の内容部を入れて準備をする際には、予め皿部の底面に、内容物を流し得る潤滑油を塗布し、
前記レンジにより夫々の内容物を加熱した際には、皿部の周囲に形成された開放口から、容器本体と皿部の間の内部空間で生じた圧を逃がすと共に、前記蓋部の上面に形成され且つ圧で上方に開く扉部から、皿部と蓋部の間の内部空間で生じた圧を逃がすことを特徴とする容器の使用方法、に係るものである。
【００１４】
このように、本発明によれば、容器本体と蓋部の間に皿部を配置した状態でレンジにより夫々の内容物を加熱する際には、皿部の周囲に形成された開放口から、容器本体と皿部の間の内部空間で生じた圧を逃がすと共に、蓋部で上方へ開く扉部から、皿部と蓋部の間の内部空間で生じた圧を逃がすので、夫々の圧を容易に逃がし、容器の変形や破損を防止することができる。又、扉部の周囲は、蓋部の上面より低く形成されて、扉部の位置が、蓋部を包むラップから離間するので、ラップにより蓋部を包んだ状態でレンジにより加熱する場合に、扉部が上方に開いてもラップに係合することがなく、皿部と蓋部の間の内部空間で生じた圧を容易に逃がし、容器の変形や破損を防止することができる。
【００１５】
蓋部の上面は、蓋部の周縁よりも低く形成されると、扉部の位置が更に一段低くなって、蓋部を包むラップよりも大きく離間するので、ラップにより蓋部を包んだ状態でレンジにより加熱する場合に、扉部が上方に開いてもラップに係合することがなく、皿部と蓋部の間の内部空間で生じた圧を一層容易に逃がし、容器の変形や破損を好適に防止することができる。
【００１６】
開放口は、周方向に一定の間隔で四つ以上形成されると、開放口を周方向に分散して配置し得るので、容器本体と皿部の間で生じた圧を容易且つ均等に逃がすことができる。
【００１７】
皿部の位置を周方向で決定するよう、開放口を形成する皿部の凸部を、位置決め用の目印にすると、容器本体と皿部の位置関係、及び皿部と蓋部の位置関係を容易に認識し得るので、夫々の左右位置を合わせるよう容器本体、蓋部、皿部を所望位置に配し、ディスプレイ効果を高めることができる。
【００１８】
皿部の底面を、内容物を流し得る平滑面にすると、粘性の高い内容物を皿部から移し替える際には、皿部の平滑面により、粘性の高い内容物を容易に滑らせて好適に移し替えることができる。
【００１９】
本発明の容器の使用方法によれば、容器本体と蓋部の間に皿部を配した状態でレンジにより夫々の内容物を加熱する際には、皿部の周囲に形成された開放口から、容器本体と皿部の間の内部空間で生じた圧を逃がすと共に、蓋部で上方へ開く扉部から、皿部と蓋部の間の内部空間で生じた圧を逃がすので、それぞれの圧を容易に逃がし、容器の変形や破損を防止することができる。又、皿部に内容部を入れて準備をする場合には、予め皿部の底面に、内容物を流し得る潤滑油を塗布するので、粘性の高い内容物を皿部から移し替える際には、皿部の底面の潤滑油により、粘性の高い内容物を滑らせて好適に移し替えることができる。
【発明の効果】
【００２０】
上記した本発明の容器及びその使用方法によれば、レンジにより夫々の内容物を加熱する際に、容器の内部空間で発生した圧を、開放口及び扉部から容易に逃がし、容器の変形や破損を防止することができるという優れた効果を奏し得る。
【発明を実施するための最良の形態】
【００２１】
以下本発明の実施の形態を図面を参照しつつ説明する。
【００２２】
図１〜図４は本発明を実施する形態例を示すものであり、図１は本発明を実施する形態例を示す概略図、図２は容器本体、皿部、蓋部を被せた場合の縦断面を示す概略図、図３は容器本体、皿部、蓋部を被せた場合であって凸部位置での縦断面を示す概略図、図４は圧を逃がす状態を示す概念図である。
【００２３】
本形態例の容器１は、深皿状の容器本体２と、深皿状の容器本体２に着脱可能に被せる浅皿状の皿部３と、皿部３に着脱可能に被せる蓋部４とを備えおり、夫々、紙もしくはポリプロピレン（ＰＰ）、ポリエチレンテレフタレート（ＰＥＴ）等の樹脂で構成されている。
【００２４】
深皿状の容器本体２は、深皿体５の側面６の上端から外方に延在する略水平な周縁面７を備えて構成されている。
【００２５】
浅皿状の皿部３は、略水平で平滑面に形成された底面８と、底面８から湾曲して上方に延在する第一内側面９と、第一内側面９の上端から外方に若干延在する略水平な第一段差面１０と、第一段差面１０の外周端から上方に延在する第二内側面１１と、第二内側面１１の上端から外方に延在する略水平な周縁面１２と、周縁面１２の外周端から下方に延在する第一外側面１３と、第一外側面１３の下端から外方に延在する略水平な第二段差面１４と、第二段差面１４の外周端から下方に延在する第二外側面１５とを備えて構成されている。又、皿部３の外周には、周縁面１２、第一外側面１３、第二段差面１４、第二外側面１５に接続されるよう、周方向に一定の間隔で配置される四つ以上（図１では四つ）の凸部１６を備えており、凸部１６は、周縁面１２と同一平面で形成される凸部用上面１７と、凸部用上面１７の外方端から下方に延在して第二外側面１５の外側に位置する凸部用側面１８と、凸部用側面１８から第一外側面１３、第二段差面１４、第二外側面１５までの間を塞ぐ凸部用壁面１９とを備えて形成されている。ここで、凸部用側面１８は、第二外側面１５よりも外方に突出して位置すると共に、下端を第二外側面１５の下端と略同じ高さに位置している。又、第二外側面１５における凸部用側面１８の間には、周方向に沿って延在し且つ所定の間隔で内方へ突出する５つ以上の係止用凸部２０を備え、皿部３の第一内側面９には、補強用の溝（図示せず）を所定の間隔で形成することが好ましい。更に、皿部３の凸部１６には、形状やデザイン等により位置決め用の目印（図示せず）を形成している。
【００２６】
蓋部４は、略水平な円盤状の上面２１と、上面２１の外周端から上方に僅かに延在する第一側面２２と、第一側面２２の上端から外方に延在する略水平な第一周縁面（周縁）２３と、第一周縁面２３の外周端から下方に延在する第二側面２４と、第二側面２４の下端から外方に延在する略水平な溝周面２５と、溝周面２５の外周端から第一の周縁面１２と略同じ高さまで延在する第三側面２６と、第三側面２６の外周端から外方に延在する略水平な第二周縁面（周縁）２７とを備えて構成されている。上面２１の略中央には、Ｕ字状の切込みにより形成された湾曲可能な扉部２８を形成しており、扉部２８の周囲２９には、上面２１よりも低く形成された所定の大きさ（図１では水平面で略正方形）の段差面を備えている。又、第二周縁部の一部には、外方へ延在するリップ状の把持面３０を備えている。
【００２７】
以下、本発明を実施する形態例の作用を説明する。
【００２８】
本形態例の容器１に、レンジで加熱する必要があるスパゲッティ等の内容物を入れて準備をする際には、初めに、容器本体２にスパゲッティの生麺（内容物、図示せず）を盛ると共に、皿部３の底部に潤滑油を塗布して皿部３に所定量のソース（他の内容物）３１を盛り、スパゲッティの生麺を入れた状態で容器本体２を閉じるよう浅皿状の皿部３を被せ、続いてソース３１を入れた状態で皿部３を閉じるよう蓋部４を被せ、容器本体２と蓋部４の間に皿部３を配置した状態で、ラップ３２により容器本体２と蓋部４の全体を包む。なお、準備する手順は、容器本体２にスパゲッティの生麺を盛ってから空の皿部３を被せ、続いて皿部３にソース３１を盛り、蓋部４を被せてもよい。
【００２９】
ここで、皿部３は、容器本体２に対して、皿部３の第二外側面１５を容器本体２の周縁面７に係止用凸部２０を介して係止させると共に、皿部３の第二段差面１４の裏面を容器本体２の周縁面７に載置し、容器本体２に外嵌して締結される。又、この時、皿部３の第一内側面９は、容器本体２の側面６から内側に離間して第一流路隙間３３を形成し、更に、皿部３の凸部１６は、容器本体２の周縁面７から外方に離間して第二流路隙間３４を形成すると共に、容器本体２の側面６から外方離間して開放口３５を形成している。更に又、皿部３は、凸部１６の位置決め用の目印（図示せず）を用いることにより、容器本体２に対して皿部３の位置を周方向で決定している。
【００３０】
一方、蓋部４は、皿部３に対して、蓋部４の第三側面２６を皿部３の第二内側面１１に当接させると共に、蓋部４の溝周面２５の裏面を皿部３の第一段差面１０に載置し、且つ蓋部４の第二周縁面２７の裏面を皿部３の周縁面１２に載置し、皿部３に内嵌して締結される。
【００３１】
又、ラップ３２は、図４に示す如く、容器本体２と蓋部４の間に皿部３を配置した状態で、略全体を包むよう容器本体２と蓋部４を包装し、ラップ３２における蓋部４の上方部分は、扉部２８を、段差状の周囲２９及び第一側面２２を介して離間させるよう、第一周縁面２３及び第二周縁面２７から略水平に張り巡らされている。
【００３２】
次に、スパゲッティ（図示せず）等の内容物を食する際には、容器本体２と蓋部４の間に皿部３を配置した状態で、ラップ３２により包装された容器本体２と蓋部４をレンジに入れ、スパゲッティの生麺及びソース３１の内容物を加熱する。この時、レンジによるスパゲッティ及びソース３１の加熱に伴って、容器本体２と皿部３の間の内部空間３６、皿部３と蓋部４の間の内部空間３７には、夫々高温の蒸気圧等の圧を生じ、容器本体２と皿部３の間の内部空間３６で生じた高温の蒸気圧等の圧を、容器本体２と皿部３の間に形成された第一流路隙間３３、第二流路隙間３４、開放口３５から外部へ逃がす。又、同時に、皿部３と蓋部４の間の内部空間３７で生じた高温の蒸気圧等の圧は、蓋部４に形成された扉部２８を上方へ押し上げて開くことにより、内部空間３７の圧を扉部２８の開口から外部へ逃がす。ここで、扉部２８が圧を逃がすよう上方へ湾曲して開く際に、扉部２８の先端は、ラップ３２に対する上下方向の配置場所によって、ラップ３２に係合もしくは当接しない。又、容器本体２と蓋部４を包装するラップ３２は、外部へ逃げた高温の圧によって外方へ適宜膨脹しており、圧を逃がすことに影響を与えることがない。
【００３３】
続いて、スパゲッティの生麺及びソース３１をレンジで加熱した後には、レンジから、ラップ３２により包装された容器本体２と蓋部４を取り出してラップ３２を破り、蓋部４、皿部３、容器本体２を外して皿部３のソース３１を容器本体２中のスパゲッティの生麺に掛け、スパゲッティを食することが可能となる。ここで、皿部３に盛られたソース３１を容器本体２に移し替える際には、ソース３１が粘性が高い内容物であっても、平滑面である皿部３の底面８、及び底面８に塗布した潤滑油により、ソース３１を皿部３の底面８に付着して残らないよう容器本体２に容易に移し替えることが可能になる。
【００３４】
このように、本発明によれば、容器本体２と蓋部４の間に皿部３を配置した状態でレンジにより、スパゲッティの生麺（図示せず）及びソース３１等の内容物を加熱する際には、皿部３の周囲２９に形成された開放口３５から、容器本体２と皿部３の間の内部空間３６で生じた高温で蒸気圧等の圧を逃がすと共に、蓋部４で上方へ開く扉部２８から、皿部３と蓋部４の間の内部空間３７で生じた高温で蒸気圧等の圧を逃がすので、夫々の圧を容易に逃がし、容器１の変形や破損を防止することができる。又、開放口３５及び扉部２８により圧の逃げる位置を予め予想し得るので、好適且つ安全に圧を逃がすことができる。更に、扉部２８の周囲２９は、蓋部４の上面２１より低く形成されるので、ラップ３２により蓋部４を包んだ状態でレンジにより加熱する際に、扉部２８が上方に開いても、扉部２８の先端が上方のラップ３２に係合もしくは当接することがなく、皿部３と蓋部４の間の内部空間３７で生じた圧を容易に逃がし、容器１の変形や破損を防止することができる。更に又、扉部２８は加熱時以外は閉じるので、蓋部４の密閉性を高め、衛生度を向上させることができる。
【００３５】
蓋部４の上面２１は、蓋部４の第一周縁面２３及び第二周縁面２７よりも低く形成されると、扉部２８の位置が更に一段低くなるよう二段で低くなって、蓋部４を包むラップ３２よりも大きく離間するので、ラップ３２により蓋部４を包んだ状態でレンジにより加熱する場合に、扉部２８が上方に開いても、扉部２８の先端が上方のラップ３２に係合もしくは当接することがなく、皿部３と蓋部４の間の内部空間３７で生じた高温で蒸気圧等の圧を一層容易に逃がし、容器１の変形や破損を好適に防止することができる。
【００３６】
開放口３５は、周方向に一定の間隔で四つ以上形成されると、開放口３５を周方向に分散して配置し得るので、容器本体２と皿部３の間で生じた高温で蒸気圧等の圧を容易且つ均等に逃がすことができる。
【００３７】
皿部３の位置を周方向で決定するよう、開放口３５を形成する皿部３の凸部１６を、位置決め用の目印にすると、容器本体２と皿部３の位置関係、及び皿部３と蓋部４の位置関係を容易に認識し得るので、夫々の左右位置を合わせるよう容器本体２、蓋部４、皿部３を所望位置に配し、ディスプレイ効果を高めることができる。又、皿部３は係止用凸部２０を備えるので、皿部３を容器本体２に対して容易に外嵌することができる。更に、係止用凸部２０を凸部１６側面の間に５つ以上備えるので、皿部３を容器本体２に対して容易に取り外すことができる。なお、凸部用側面１８の間に位置する係止用凸部２０が４個以下の場合は、取り外すことが困難になる。
【００３８】
皿部３の底面８を、内容物を流し得る平滑面にすると、粘性の高いソース３１等の内容物を皿部３から移し替える際には、皿部３の平滑面により、ソース３１を容易に滑らせ、粘性の高い内容物を好適に移し替えることができる。
【００３９】
容器１を使用する際において、皿部３にソース３１等の内容部を入れて準備をする場合には、予め皿部３の底面８に、ソース３１等の内容物を流し得る潤滑油を塗布するので、粘性の高いソース３１であっても、ソース３１を皿部３から移し替える際には、皿部３の底面８の潤滑油により、粘性の高いソース３１を滑らせて好適に移し替えることができる。
【００４０】
尚、本発明の容器及びその使用方法は、上述の形態例にのみ限定されるものではなく、蓋部の扉部は、上面より低く位置するならば周囲の形状をどのような形状にしてもよいこと、特に扉部は、周縁より上面を介して二段で低くなっているが、更に多段で低くなってもよいこと、内容物は食品に限定されるものでなく工業用材料等でもよいこと、その他、本発明の要旨を逸脱しない範囲内において種々変更を加え得ることは勿論である。
【図面の簡単な説明】
【００４１】
【図１】本発明を実施する形態例を示す概略図である。
【図２】容器本体、皿部、蓋部を被せた場合の縦断面を示す概略図である。
【図３】容器本体、皿部、蓋部を被せた場合であって凸部位置での縦断面を示す概略図である。
【図４】圧を逃がす状態を示す概念図である。
【図５】従来例の容器を示す概略図である。
【符号の説明】
【００４２】
１  容器
２  容器本体
３  皿部
４  蓋部
１６  凸部
２１  上面
２３  第一周縁面（周縁）
２７  第二周縁面（周縁）
２８  扉部
２９  周囲
３１  ソース（他の内容物）
３２  ラップ
３５  開放口
３６  内部空間
３７  内部空間
【図１】
2005162289.tif 000003
【図２】
2005162289.tif 000004
【図３】
2005162289.tif 000005
【図４】
2005162289.tif 000006
【図５】
2005162289.tif 000007